(57)【要約】【課題】収容器内の農作物の密接によるブリッジ現象を解消して確実に送り出せるようにした農作物搬出装置を提供する。【解決手段】  上方が開放された先細り状の収容器１０の底板を一部開口し、複数の仕切板２５を所定間隔おいて突設した無端搬出コンベヤ２０をその仕切板２５が収容器１０の底の開口１１から内部空間を通じて上方へ移行できるように設け、収容器１０に収容した農作物Ｐを無端搬出コンベヤ２０の仕切板２５に載せて上方へ１個づつ送り出せるようにした農作物搬出装置において、前記収容器１０の底部の内面に突起体４０を回転自在に設け、突起体４０の回転で収容器１０内の農作物Ｐを動かして農作物Ｐのブリッジ現象を防止できるようにした。【選択図】  図５
2008050102.tif 000002
【特許請求の範囲】
【請求項１】
上方が開放された先細り状の収容器の底板を一部開口し、複数の仕切板を所定間隔おいて突設した無端搬出コンベヤをその仕切板が収容器の底の開口から内部空間を通じて上方へ移行できるように設け、収容器に収容した農作物を無端搬出コンベヤの仕切板に載せて上方へ１個づつ送り出せるようにした農作物搬出装置において、前記収容器の底部の内面に突起体を回転自在に設け、突起体の回転で収容器内の農作物を動かして農作物のブリッジ現象を防止できるようにしたことを特徴とする、農作物搬出装置。
【請求項２】
突起体が、回転軸に羽根を備えた回転羽根である、請求項１記載の農作物搬出装置。
【請求項３】
突起体を手動で回転操作するハンドルを設けた、請求項１又は２記載の農作物搬出装置。
【請求項４】
無端補助コンベヤに複数の仕切板を無端搬出コンベヤの仕切板と同じ間隔をおいて突設し、同無端補助コンベヤをその往路が無端搬出コンベヤの下方の復路と対向するように設け、無端搬出コンベヤの仕切板で無端補助コンベヤの仕切板を押して無端補助コンベヤを回動できるようにし、農作物を無端搬出コンベヤのリターン部から無端補助コンベヤに移行させて下方へ搬送し、搬送先から畑へ落下させて所定間隔に植え付けできるようにした、請求項１〜３いずれか記載の農作物搬出装置。
【発明の詳細な説明】
【技術分野】
【０００１】
本発明は、収容器に収容した多数の農作物を連続的に搬出して植え付け等を行えるようにする農作物搬出装置に関する。
【背景技術】
【０００２】
従来、種芋の植え付け作業に使用する農作物搬出装置が特許文献１〜３に開示されている。この技術は、図７に示すように上方が開放された先細り状の収容器７０の底板を一部開口し、複数の仕切板８１を所定間隔おいて突設した無端搬出コンベヤ８０をその仕切板８１が収容器７０の底の開口７１から内部空間を通じて上方へ移行できるように設け、収容器７０に収容した農作物Ｐを無端搬出コンベヤ８０の仕切板８１に載せて上方へ１個づつ送り出せるようにしたことを特徴としている。図中、７２は仕切板８１を通過させるとともに農作物Ｐの落下を防止するブラシ体、９０は無端補助コンベヤ、９１は仕切板である。
【０００３】
ところで、前記技術では、使用中に収容器７０内の多数の農作物Ｐが自重や振動による密接で積み上がった状態が安定し、農作物Ｐが仕切板８１へ移行し難くなって仕切板８１が通過する部分に空隙が形成され、無端搬出コンベヤ８０が空回りして農作物Ｐを上方へ送り出せなくなる現象（ブリッジ現象）が生じていた。したがって、その度に収容器７０の底部分に衝撃を加えたり、手で農作物Ｐの密接を直接崩したりすることで解消しており、作業能率が悪いものであった。
【特許文献１】特開平１０−７２３０号公報
【特許文献２】特開平１０−７２５４号公報
【特許文献３】特開２００１−４８３２８号公報
【発明の開示】
【発明が解決しようとする課題】
【０００４】
本発明が解決しようとする課題は、従来のこれらの問題点を解消し、収容器内の農作物の密接によるブリッジ現象を解消して確実に送り出せるようにした農作物搬出装置を提供することにある。
【課題を解決するための手段】
【０００５】
かかる課題を解決した本発明の構成は、
１）  上方が開放された先細り状の収容器の底板を一部開口し、複数の仕切板を所定間隔おいて突設した無端搬出コンベヤをその仕切板が収容器の底の開口から内部空間を通じて上方へ移行できるように設け、収容器に収容した農作物を無端搬出コンベヤの仕切板に載せて上方へ１個づつ送り出せるようにした農作物搬出装置において、前記収容器の底部の内面に突起体を回転自在に設け、突起体の回転で収容器内の農作物を動かして農作物のブリッジ現象を防止できるようにしたことを特徴とする、農作物搬出装置
２）  突起体が、回転軸に羽根を備えた回転羽根である、前記１）記載の農作物搬出装置
３）  突起体を手動で回転操作するハンドルを設けた、前記１）又は２）記載の農作物搬出装置
４）  無端補助コンベヤに複数の仕切板を無端搬出コンベヤの仕切板と同じ間隔をおいて突設し、同無端補助コンベヤをその往路が無端搬出コンベヤの下方の復路と対向するように設け、無端搬出コンベヤの仕切板で無端補助コンベヤの仕切板を押して無端補助コンベヤを回動できるようにし、農作物を無端搬出コンベヤのリターン部から無端補助コンベヤに移行させて下方へ搬送し、搬送先から畑へ落下させて所定間隔に植え付けできるようにした、前記１）〜３）いずれか記載の農作物搬出装置
にある。
【発明の効果】
【０００６】
本発明によれば、突起体の回転で収容器内の農作物の自重による密接を崩すことで仕切板に載り易くなり、ブリッジ現象を解消して能率良く確実に送り出せるようになる。
【発明を実施するための最良の形態】
【０００７】
本発明の突起体の回転は、ハンドル操作や足踏み操作等の人力の他に、モーターで回転させる方法や牽引用のトラクターから動力を伝達して回転させる方法でもよく、ブリッジ現象が発生した際に回転させる間欠式、又は常時回転させてブリッジ現象の発生自体を防止する連続式のいずれでもよい。突起体の形状としては、羽根を備えたものが一般的であるが、農作物を動かせる形状があればどのような形状でもよく、農作物を傷つけない丸みを帯びた形状が望ましい。以下、本発明の実施例を図面に基づいて具体的に説明する。
【実施例１】
【０００８】
図１〜６に示す実施例は、種芋の植え付けに使用される農作物搬出装置の例である。図１は実施例の農作物搬出装置の正面図、図２は実施例の農作物搬出装置の右側面図、図３は実施例の農作物搬出装置の一部拡大縦断面図、図４は実施例の農作物の植え付けを示す説明図、図５，６は実施例の農作物の送り出しを示す説明図である。
【０００９】
図中、１０は収容器、１１は開口、１２はブラシ体、２０は無端搬出コンベヤ、２１は回転盤、２２は駆動プーリー、２３は従動プーリー、２４はコンベヤベルト、２５は仕切板、２６は駆動チェーン、２７は樋、３０は無端補助コンベヤ、３１はプーリー、３２はコンベヤベルト、３３は仕切板、４０は突起体、４０ａは回転軸、４０ｂは羽根、４１はベベルギヤボックス、４２はシャフト、４３はハンドル、４４は支持ステー、５０はフレーム、５１は車輪、５２はローラー、６０はトラクター、６１はハンドル、Ｈは作業者、Ｐは農作物である。
【００１０】
本実施例の農作物搬出装置は、図１〜３に示すように上方が開放された先細り状の収容器１０の底板を一部切り欠き、切り欠いた開口１１の直下に垂直に植毛したブラシ体１２を上向きに取り付けている。収容器１０はフレーム５０に開口１１側が下方となるように若干傾斜させて取り付け、収容した農作物Ｐが開口１１側へ移行し易いようにしている。フレーム５０には一対の車輪５１と車輪５１間にローラー５２をそれぞれ備えている。ローラー５２は落下した農作物Ｐを畑に埋め込むように軽く押さえつける為のものである。
【００１１】
無端搬出コンベヤ２０は、コンベヤベルト２４に複数の仕切板２５を所定間隔おいて突設し、トラクタ６０から動力を伝達する回転盤２１と駆動プーリー２２と従動プーリー２３で略三角形状に緊張して構成している。コンベヤベルト２４の往路の側部には余剰の農作物Ｐを収容器１０へ戻す樋２７を取り付けている。この無端搬出コンベヤ２０をその仕切板２５が収容器１０の開口１１から内部空間を通じて上方へ移行できるように取り付けている。
【００１２】
無端補助コンベヤ３０は、コンベヤベルト３２に複数の仕切板３３を無端搬出コンベヤ２０の仕切板２５と同じ間隔をおいて突設し、一対のプーリー３１で直線状に緊張して構成している。この無端補助コンベヤ３０をその往路が無端搬出コンベヤ２０の下方の復路と対向するように配設し、無端搬出コンベヤ２０の仕切板２５で無端補助コンベヤ３０の仕切板３３を押して無端補助コンベヤ３０を回動できるようにしている。無端補助コンベヤ３０の搬送先は開放されている。
【００１３】
収容器１０の底部の斜面内側には突起体４０を回転自在に取り付けている。突起体４０は、収容器１０の内面と直角方向に軸支した回転軸４０ａに丸みを帯びた一枚の羽根４０ｂを備え、羽根４０ｂが収容器１０の内面に沿って回転するようにした構造で、回転軸４０ａを収容器１０の外側に貫通させてベベルギヤボックス４１とシャフト４２を介してハンドル４３と連結している。ハンドル４３は支持ステー４４で収容器１０の側部に軸支している。
【００１４】
本実施例では、図４に示すように所定の大きさに加工した種芋からなる農作物Ｐを収容器１０に多数投入する。収容器１０内の農作物Ｐは自重で収容器１０の底部に貯溜するが、ブラシ体１２と接して落下しない。トラクター６０を始動させてその駆動力で無端搬出コンベヤ２０を作動させると、仕切板２５がブラシ体１２を押しのけるようにして容易に通過して回動する。
【００１５】
農作物Ｐは収容器１０の斜面と傾斜で無端搬出コンベヤ２０側へ寄り、移行中の仕切板２５に１個づつ載って上方へ送り出される。送り出された農作物Ｐは横方向へ搬送された後にリターン部で無端補助コンベヤ３０に移行して下方へ搬送され、搬送先から畑へ１個づつ落下してローラー５２で軽く押さえつけられ、トラクター６０の進行により所定の間隔で植え付けされていく。
【００１６】
しばらくすると、農作物Ｐが自重や走行中の振動により農作物Ｐ同士が密接して積み上がった状態が安定して動き難くなってくる。そのまま放置すると従来のように農作物Ｐが仕切板２５に移行し難くなって仕切板２５が通過する部分に空隙が形成され、無端搬出コンベヤ２０が空回りしてブリッジ現象が生じる。農作物Ｐは仕切板２５に接触はするが、何らかの外力が加わらないと仕切板２５に移行しない。
【００１７】
ここで、図５，６に示すように作業者Ｈがハンドル４３で突起体４０を回転させると、その羽根４０ｂで近辺の農作物Ｐが動かされて農作物Ｐ同士の密接を崩し、農作物Ｐが仕切板２５へ移行し易くなる。このようにして、作業者Ｈは収容器１０内の状態を逐次確認しながら、状態に応じてハンドル４３で突起体４０を間欠的に回転させることで、ブリッジ現象を早期且つ容易に解消して農作物Ｐを確実に搬出して植え付けできるようになる。
【産業上の利用可能性】
【００１８】
本発明の農作物搬出装置は、馬鈴薯や里芋等の種芋の植え付け作業に有用である。
【図面の簡単な説明】
【００１９】
【図１】実施例の農作物搬出装置の正面図である。
【図２】実施例の農作物搬出装置の右側面図である。
【図３】実施例の農作物搬出装置の一部拡大縦断面図である。
【図４】実施例の農作物の植え付けを示す説明図である。
【図５】実施例の農作物の送り出しを示す説明図である。
【図６】実施例の農作物の送り出しを示す説明図である。
【図７】従来の農作物の送り出しを示す説明図である。
【符号の説明】
【００２０】
１０  収容器
１１  開口
１２  ブラシ体
２０  無端搬出コンベヤ
２１  回転盤
２２  駆動プーリー
２３  従動プーリー
２４  コンベヤベルト
２５  仕切板
２６  駆動チェーン
２７  樋
３０  無端補助コンベヤ
３１  プーリー
３２  コンベヤベルト
３３  仕切板
４０  突起体
４０ａ  回転軸
４０ｂ  羽根
４１  ベベルギヤボックス
４２  シャフト
４３  ハンドル
４４  支持ステー
５０  フレーム
５１  車輪
５２  ローラー
６０  トラクター
６１  ハンドル
７０  収容器
７１  開口
７２  ブラシ体
８０  無端搬出コンベヤ
８１  仕切板
９０  無端補助コンベヤ
９１  仕切板
Ｈ  作業者
Ｐ  農作物
【図１】
2008050102.tif 000003
【図２】
2008050102.tif 000004
【図３】
2008050102.tif 000005
【図４】
2008050102.tif 000006
【図５】
2008050102.tif 000007
【図６】
2008050102.tif 000008
【図７】
2008050102.tif 000009